(57)【要約】【課題】本発明の目的は、除菌剤を含みながらも、経時的に生じるゲル強度の低下を抑制し、ゲル状態を安定に維持できるゲル状洗浄剤組成物を提供することである。【解決手段】一般式（１）に示すに示すポリオキシアルキレンブロックポリマーと一般式（２）に示す化合物を含むゲル状洗浄剤組成物は、経時的に生じるゲル強度の低下を抑制し、ゲル状態を安定に維持できることを見出した。【選択図】なし【特許請求の範囲】
【請求項１】
(A)下記一般式（１）に示すポリオキシアルキレンブロックポリマー、
【化１】
2020066691.tif 000018
［一般式（１）中、ｊ、ｋ、ｌ、ｍ、及びｎは、それぞれ付加モル数を示す。ｊ＋ｎは１以上であり、ｋは０以上であり、ｌは１以上であり、ｍは０以上である。Ａ1Ｏは、炭素数２〜４のアルキレンオキサイドを示す。Ａ2Ｏは、炭素数は２〜４であって、Ａ1Ｏとは異なる炭素数のアルキレンオキサイドを示す。Ａ3Ｏは、炭素数は２〜４であって、Ａ2Ｏとは異なる炭素数のアルキレンオキサイドを示す。Ａ1Ｏ、Ａ2Ｏ及びＡ3Ｏの少なくとも１つは、エチレンオキサイドである。］及び
(B)下記一般式（２）に示す化合物
【化２】
2020066691.tif 000019
［一般式（２）中、Ｒ1及びＲ2は、同一又は異なって、炭素数６〜１８のアルキル基を示し、Ｒ3及びＲ4は、同一又は異なって、炭素数１〜４のアルキル基を示し、Ｒ5は、炭素数１〜４のアルキル基、又は水素原子を示す。］
を含む、ゲル状洗浄剤組成物。
【請求項２】
前記ポリオキシアルキレンブロックポリマーが、下記一般式（１ａ）で表されるポリオキシアルキレンブロックポリマーである、請求項１に記載のゲル状洗浄剤組成物。
【化３】
2020066691.tif 000020
［一般式（１ａ）中、ｊ、ｋ、ｌ、ｍ、及びｎは、それぞれ付加モル数を示す。ｊ＋ｎは１以上であり、ｋは０以上であり、ｌは１以上であり、ｍは０以上である。ＥＯは、エチレンオキサイドを示す。Ａ2Ｏは、炭素数３又は４のアルキレンオキサイドを示す。Ａ3Ｏは、炭素数２〜４であって、Ａ2Ｏとは異なる炭素数のアルキレンオキサイドを示す。］
【請求項３】
前記ポリオキシアルキレンブロックポリマーにおいて、炭素数３〜４のアルキレンオキサイドが占める部分の分子量が１４００以上である、請求項２に記載のゲル状洗浄剤組成物。
【請求項４】
前記ポリオキシアルキレンブロックポリマーの分子量が４６００以上である、請求項１〜３のいずれかに記載のゲル状洗浄剤組成物。
【請求項５】
前記一般式（２）に示す化合物がジデシルジメチルアンモニウムメチルサルフェートである、請求項１〜４のいずれかに記載のゲル状洗浄剤組成物。
【請求項６】
水洗トイレの便器の洗浄に使用される、請求項１〜５のいずれかに記載のゲル状洗浄剤組成物。
【請求項７】
ゲル状洗浄剤組成物の経時的なゲル強度の低下を抑制する方法であって、
ゲル状洗浄剤組成物に、(A)下記一般式（１）に示すポリオキシアルキレンブロックポリマー、
【化４】
2020066691.tif 000021
［一般式（１）中、ｊ、ｋ、ｌ、ｍ、及びｎは、それぞれ付加モル数を示す。ｊ＋ｎは１以上であり、ｋは０以上であり、ｌは１以上であり、ｍは０以上である。Ａ1Ｏは、炭素数２〜４のアルキレンオキサイドを示す。Ａ2Ｏは、炭素数は２〜４であって、Ａ1Ｏとは異なる炭素数のアルキレンオキサイドを示す。Ａ3Ｏは、炭素数は２〜４であって、Ａ2Ｏとは異なる炭素数のアルキレンオキサイドを示す。Ａ1Ｏ、Ａ2Ｏ及びＡ3Ｏの少なくとも１つは、エチレンオキサイドである。］及び
(B)下記一般式（２）に示す化合物
【化５】
2020066691.tif 000022
［一般式（２）中、Ｒ1及びＲ2は、同一又は異なって、炭素数６〜１８のアルキル基を示し、Ｒ3及びＲ4は、同一又は異なって、炭素数１〜４のアルキル基を示し、Ｒ5は、炭素数１〜４のアルキル基、又は水素原子を示す。］を含有させる、
ゲル状洗浄剤組成物のゲル強度の低下抑制方法。
【発明の詳細な説明】
【技術分野】
【０００１】
本発明は、トイレの便器、ガラス、窓、ドア、浴室の壁等の硬質表面に付着させて使用されるゲル状洗浄剤組成物であって、除菌剤を含みながらも、経時的に生じるゲル強度の低下を抑制し、ゲル状態を安定に維持できるゲル状洗浄剤組成物に関する。
【背景技術】
【０００２】
従来、トイレの便器等の硬質表面に付着する汚れを除去し、衛生的な環境を作り出すために、様々な洗浄剤組成物が使用されている。例えば、水洗トイレの洗浄剤組成物としては、水洗トイレの手洗い部や貯水タンク内に設置することにより、フラッシュ水に洗浄剤を溶出できるように設計されたオンタンク又はインタンク用のトイレ用洗浄剤が使用されている。しかしながら、近年、タンクレスの水洗トイレが普及しており、オンタンク又はインタンク用のトイレ用洗浄剤組成物では、タンクレスの水洗トイレに適用できないという欠点がある。そこで、近年、トイレの便器ボウルの表面に付着させて使用するゲル状洗浄剤組成物が開発されている。例えば、特許文献１には、重合度が１３〜５０のポリオキシエチレンと炭素数１２〜１８のアルキル基で構成されるポリオキシエチレンアルキルエーテルを含むトイレ用ゲル状洗浄剤を、トイレの便器ボウルの表面に付着させることによって、流水と接触しても、便器ボウルの表面に付着した状態を維持したまま、流水に洗浄剤を持続的に放出できることが報告されている。
【０００３】
また、トイレの便器等の硬質表面の洗浄に使用される洗浄剤組成物には、黒ずみ等の微生物由来の汚れを防ぐ目的で、除菌剤としてジデシルジメチルアンモニウムクロライド等のテトラアルキルアンモニウムクロライドが広く使用されている。そして、従来、テトラアルキルアンモニウムクロライドを含む洗浄剤組成物の性能向上を試みて、様々な組成検討がなされている。例えば、特許文献２には、硬質表面用洗浄組成物において、ジデシルジメチルアンモニウムクロライドと特定のポリオキシエチレンアルキルエーテルを併用することにより、洗浄力を向上できることが開示されている。
【０００４】
一方、トイレの便器等の硬質表面に付着させて使用されるゲル状洗浄剤組成物では、硬質表面に安定に付着させて所望の洗浄効果を発現させるために、保存中及び硬質表面に付着させた後に液化やゲル強度の低下を抑制し、安定なゲル状態を維持することが必要になる。しかしながら、従来技術では、除菌剤を含むゲル状洗浄剤組成物において、安定なゲル状態を維持させる組成設計については十分な検討が行われていないのが現状である。
【先行技術文献】
【特許文献】
【０００５】
【特許文献１】特開２０１１−５７７８０号公報
【特許文献２】特開２０１８−９５７１８号公報
【発明の概要】
【発明が解決しようとする課題】
【０００６】
除菌剤として従来汎用されているジデシルジメチルアンモニウムクロライドを配合したゲル状洗浄剤組成物では、経時的にゲル強度が低下するという欠点がある。そこで、本発明の目的は、除菌剤を含みながらも、経時的に生じるゲル強度の低下を抑制し、ゲル状態を安定に維持できるゲル状洗浄剤組成物を提供することである。
【課題を解決するための手段】
【０００７】
本発明者は、前記課題を解決すべく鋭意検討を行ったところ、特定の構造のポリオキシアルキレンブロックポリマー（一般式（１）に示す化合物）と特定の構造の除菌剤（一般式（２）に示す化合物）を含むゲル状洗浄剤組成物は、経時的に生じるゲル強度の低下を抑制し、ゲル状態を安定に維持できることを見出した。本発明は、これらの知見に基づいて、更に検討を重ねることにより完成したものである。
【０００８】
即ち、本発明は、下記に掲げる態様の発明を提供する。
項１．  (A)下記一般式（１）に示すポリオキシアルキレンブロックポリマー、
【化１】
2020066691.tif 000002
［一般式（１）中、ｊ、ｋ、ｌ、ｍ、及びｎは、それぞれ付加モル数を示す。ｊ＋ｎは１以上であり、ｋは０以上であり、ｌは１以上であり、ｍは０以上である。Ａ1Ｏは、炭素数２〜４のアルキレンオキサイドを示す。Ａ2Ｏは、炭素数は２〜４であって、Ａ1Ｏとは異なる炭素数のアルキレンオキサイドを示す。Ａ3Ｏは、炭素数は２〜４であって、Ａ2Ｏとは異なる炭素数のアルキレンオキサイドを示す。Ａ1Ｏ、Ａ2Ｏ及びＡ3Ｏの少なくとも１つは、エチレンオキサイドである。］及び
(B)下記一般式（２）に示す化合物
【化２】
2020066691.tif 000003
［一般式（２）中、Ｒ1及びＲ2は、同一又は異なって、炭素数６〜１８のアルキル基を示し、Ｒ3及びＲ4は、同一又は異なって、炭素数１〜４のアルキル基を示し、Ｒ5は、炭素数１〜４のアルキル基、又は水素原子を示す。］
を含む、ゲル状洗浄剤組成物。
項２．  前記ポリオキシアルキレンブロックポリマーが、下記一般式（１ａ）で表されるポリオキシアルキレンブロックポリマーである、項１に記載のゲル状洗浄剤組成物。
【化３】
2020066691.tif 000004
［一般式（１ａ）中、ｊ、ｋ、ｌ、ｍ、及びｎは、それぞれ付加モル数を示す。ｊ＋ｎは１以上であり、ｋは０以上であり、ｌは１以上であり、ｍは０以上である。ＥＯは、エチレンオキサイドを示す。Ａ2Ｏは、炭素数３又は４のアルキレンオキサイドを示す。Ａ3Ｏは、炭素数２〜４であって、Ａ2Ｏとは異なる炭素数のアルキレンオキサイドを示す。］
項３．  前記ポリオキシアルキレンブロックポリマーにおいて、炭素数３〜４のアルキレンオキサイドが占める部分の分子量が１４００以上である、項２に記載のゲル状洗浄剤組成物。
項４．  前記ポリオキシアルキレンブロックポリマーの分子量が４６００以上である、項１〜３のいずれかに記載のゲル状洗浄剤組成物。
項５．  前記一般式（２）に示す化合物がジデシルジメチルアンモニウムメチルサルフェートである、項１〜４のいずれかに記載のゲル状洗浄剤組成物。
項６．  水洗トイレの便器の洗浄に使用される、項１〜５のいずれかに記載のゲル状洗浄剤組成物。
項７．  ゲル状洗浄剤組成物の経時的なゲル強度の低下を抑制する方法であって、
ゲル状洗浄剤組成物に、(A)下記一般式（１）に示すポリオキシアルキレンブロックポリマー、
【化４】
2020066691.tif 000005
［一般式（１）中、ｊ、ｋ、ｌ、ｍ、及びｎは、それぞれ付加モル数を示す。ｊ＋ｎは１以上であり、ｋは０以上であり、ｌは１以上であり、ｍは０以上である。Ａ1Ｏは、炭素数２〜４のアルキレンオキサイドを示す。Ａ2Ｏは、炭素数は２〜４であって、Ａ1Ｏとは異なる炭素数のアルキレンオキサイドを示す。Ａ3Ｏは、炭素数は２〜４であって、Ａ2Ｏとは異なる炭素数のアルキレンオキサイドを示す。Ａ1Ｏ、Ａ2Ｏ及びＡ3Ｏの少なくとも１つは、エチレンオキサイドである。］及び
(B)下記一般式（２）に示す化合物
【化５】
2020066691.tif 000006
［一般式（２）中、Ｒ1及びＲ2は、同一又は異なって、炭素数６〜１８のアルキル基を示し、Ｒ3及びＲ4は、同一又は異なって、炭素数１〜４のアルキル基を示し、Ｒ5は、炭素数１〜４のアルキル基、又は水素原子を示す。］を含有させる、
ゲル状洗浄剤組成物のゲル強度の低下抑制方法。
【発明の効果】
【０００９】
本発明のゲル状洗浄剤組成物は、特定の構造のポリオキシアルキレンブロックポリマー（一般式（１）に示すンブロックポリマー）と特定の構造の除菌剤（一般式（２）に示す化合物）を組み合わせて含むことによって、経時的に生じるゲル強度の低下を抑制し、ゲル状態を安定に維持することができる。
【発明を実施するための形態】
【００１０】
１．ゲル状洗浄剤組成物
本発明のゲル状洗浄剤組成物は、(A)特定の構造のポリオキシアルキレンブロックポリマー（一般式（１）に示すブロックポリマー）、及び(B)特定の構造の除菌剤（一般式（２）の化合物）を含むことを特徴とする。以下、本発明のゲル状洗浄剤組成物について詳述する。
【００１１】
［(A)ポリオキシアルキレンブロックポリマー］
本発明のゲル状洗浄剤組成物は、下記一般式（１）に示すポリオキシアルキレンブロックポリマー（「一般式（１）に示すブロックポリマー」と表記することもある）を含有する。このような特定の構造のポリオキシアルキレンブロックポリマーと後述する特定の構造の抗菌剤とを併用してゲル状にした洗浄剤組成物を形成することによって、硬質表面に対する付着性を付与しつつ、経時的に生じるゲル強度の低下を抑制し、ゲル状態を安定に維持させることが可能になる。また、当該ポリオキシアルキレンブロックポリマーは、界面活性作用を示すので、流水と接触して放出されることにより、硬質表面に対する洗浄作用を発揮することができる。
【００１２】
【化６】
2020066691.tif 000007
【００１３】
一般式（１）中、ｊ、ｋ、ｌ、ｍ、及びｎは、それぞれ付加モル数を示す。ｊ＋ｎは１以上であり、ｋは０以上であり、ｌは１以上であり、ｍは０以上である。Ａ1Ｏは、炭素数２〜４のアルキレンオキサイドを示す。Ａ2Ｏは、炭素数は２〜４であって、Ａ1Ｏとは異なる炭素数のアルキレンオキサイドを示す。Ａ3Ｏは、炭素数は２〜４であって、Ａ2Ｏとは異なる炭素数のアルキレンオキサイドを示す。Ａ1Ｏ、Ａ2Ｏ及びＡ3Ｏの少なくとも１つは、エチレンオキサイドである。
【００１４】
一般式（１）において、Ａ1Ｏは、炭素数２〜４のアルキレンオキサイド、即ち、エチレンオキサイド、プロピレンオキサイド又はブチレンオキサイドを示す。経時的に生じるゲル強度の低下をより一層効果的に抑制するという観点から、Ａ1Ｏとして、好ましくはエチレンオキサイドが挙げられる。
【００１５】
また、一般式（１）において、ｊ＋ｎはアルキレンオキサイド（Ａ1Ｏ）の付加モル数の合計を表し、ｊ＋ｎは１以上であればよく、ｊ又はｎの一方は０であってもよい。経時的に生じるゲル強度の低下をより一層効果的に抑制するという観点から、ｊ及びｎはそれぞれ１以上であることが好ましい。また、ｊ及びｎは、略同数であることが好ましい。ｊ＋ｎの上限値については、特に制限されないが、例えば４００が挙げられる。また、経時的に生じるゲル強度の低下をより一層効果的に抑制するという観点から、ｊ＋ｎは、好ましくは３０以上、更に好ましくは３０〜３５０、特に好ましくは７０〜３５０が挙げられる。より具体的には、ｊは、好ましくは１５以上、更に好ましくは１５〜１７５、特に好ましくは３５〜１７５が挙げられ、ｎは好ましくは１５以上、更に好ましくは１５〜１７５、特に好ましくは３５〜１７５が挙げられる。
【００１６】
一般式（１）において、Ａ2Ｏは、炭素数２〜４のアルキレンオキサイド、即ち、エチレンオキサイド、プロピレンオキサイド又はブチレンオキサイドを示す。但し、Ａ2Ｏは、Ａ1Ｏとは異なる炭素数のアルキレンオキサイドになる。即ち、Ａ1Ｏがエチレンオキサイドの場合には、Ａ2Ｏはプロピレンオキサイド又はブチレンオキサイドになり、Ａ1Ｏがプロピレンオキサイドの場合には、Ａ2Ｏはエチレンオキサイド又はブチレンオキサイドになり、Ａ1Ｏがブチレンオキサイドの場合には、Ａ2Ｏはエチレンオキサイド又はプロピレンオキサイドになる。経時的に生じるゲル強度の低下をより一層効果的に抑制するという観点から、Ａ2Ｏとして、好ましくはプロピレンオキサイド又はブチレンオキサイド、更に好ましくはブチレンオキサイドが挙げられる。
【００１７】
また、一般式（１）において、ｋ及びｍは、アルキレンオキサイド（Ａ2Ｏ）の付加モル数を示し、それぞれ０以上である。ｋが０の場合には、ｍも０であることが好ましいが、経時的に生じるゲル強度の低下をより一層効果的に抑制するという観点から、ｋ及びｍは、１以上であることが更に好ましい。また、ｋ及びｍは、略同数であることが好ましい。ｋ及びｍの上限値については、特に制限されないが、例えば、ｋの上限値として３０、ｍの上限値として３０が挙げられる。また、ｋ＋ｍの上限値については、特に制限されないが、例えば６０が挙げられる。また、経時的に生じるゲル強度の低下をより一層効果的に抑制するという観点から、ｋ＋ｍは、好ましくは０〜６０、更に好ましくは０〜４０、特に好ましくは１０〜４０が挙げられる。より具体的には、ｋは０〜３０、好ましくは０〜２０、更に好ましくは５〜２０；ｍは０〜３０、好ましくは０〜２０、更に好ましくは５〜２０が挙げられる。
【００１８】
一般式（１）において、Ａ3Ｏは、炭素数２〜４のアルキレンオキサイド、即ち、エチレンオキサイド、プロピレンオキサイド又はブチレンオキサイドを示す。但し、Ａ3Ｏは、Ａ2Ｏとは異なる炭素数のアルキレンオキサイドになる。即ち、ｋ及びｍが０の場合（Ａ2Ｏがない場合）であれば、Ａ3Ｏは、エチレンオキサイド、プロピレンオキサイド又はブチレンオキサイドになる。また、ｋ及び／又はｍが１以上の場合、Ａ2Ｏがエチレンオキサイドであれば、Ａ3Ｏはプロピレンオキサイド又はブチレンオキサイドになり、Ａ2Ｏがプロピレンオキサイドであれば、Ａ3Ｏはエチレンオキサイド又はブチレンオキサイドになり、Ａ2Ｏがブチレンオキサイドであれば、Ａ3Ｏはエチレンオキサイド又はプロピレンオキサイドになる。経時的に生じるゲル強度の低下をより一層効果的に抑制するという観点から、Ａ3Ｏとして、好ましくはプロピレンオキサイド又はブチレンオキサイド、更に好ましくはプロピレンオキサイドが挙げられる。
【００１９】
また、一般式（１）において、ｌは、アルキレンオキサイド（Ａ3Ｏ）の付加モル数を示し、１以上である。ｌの上限値については、特に制限されないが、例えば、６０が挙げられる。経時的に生じるゲル強度の低下をより一層効果的に抑制するという観点から、ｌは１〜６０、好ましくは１５〜６０が挙げられる。より具体的には、ｋ及びｍが０の場合であれば、ｌは、より好ましくは１〜６０、特に好ましくは１５〜６０、最も好ましくは３０〜６０が挙げられる。また、ｋ及びｍが１以上の場合であれば、ｌは、より好ましくは１〜６０、特に好ましくは１５〜６０、最も好ましくは１５〜３０が挙げられる。
【００２０】
一般式（１）において、Ａ1Ｏ、Ａ2Ｏ及びＡ3Ｏの少なくとも１つは、エチレンオキサイドになる。経時的に生じるゲル強度の低下をより一層効果的に抑制するという観点から、少なくともＡ1Ｏはエチレンオキサイドであることが好ましい。Ａ1Ｏがエチレンオキサイドの場合の一般式（１）に示すブロックポリマーは下記一般式（１ａ）に示す構造になる。
【００２１】
【化７】
2020066691.tif 000008
【００２２】
一般式（１ａ）中、ｊ、ｋ、ｌ、ｍ、及びｎは、前記と同様である。ＥＯは、エチレンオキサイドを示す。Ａ2Ｏは、炭素数３又は４のアルキレンオキサイドを示す。Ａ3Ｏは、炭素数２〜４であって、Ａ2Ｏとは異なる炭素数のアルキレンオキサイドを示す。
【００２３】
また、一般式（１ａ）のブロックポリマーにおいて、炭素数３〜４のアルキレンオキサイドが占める部分（疎水基部分：（Ａ2Ｏ)k-(Ａ3Ｏ)l-(Ａ2Ｏ)m）の分子量については、前述する一般式（１ａ）の条件を充足する範囲であればよいが、経時的に生じるゲル強度の低下をより一層効果的に抑制するという観点から、好ましくは１４００以上、更に好ましくは１７００以上、特に好ましくは１７００〜３５００が挙げられる。
【００２４】
また、一般式（１）に示すブロックポリマーの分子量については、前述する一般式（１）の条件を充足する範囲であればよいが、経時的に生じるゲル強度の低下をより一層効果的に抑制するという観点から、好ましくは４６００以上、更に好ましくは６５００以上、特に好ましくは６５００〜２００００が挙げられる。
【００２５】
一般式（１）に示すブロックポリマーの中でも、経時的に生じるゲル強度の低下をより一層効果的に抑制するという観点から、好適な具体例として、以下の一般式（１ａ−１）〜（１ａ−３）で表されるポリオキシアルキレンブロックポリマーが挙げられる。
【００２６】
【化８】
2020066691.tif 000009
【００２７】
一般式（１ａ−１）中、ＥＯはエチレンオキサイド、ＢＯはブチレンオキサイド、ＰＯはプロピレンオキサイドを示す。また、一般式（１ａ−１）中、ｊ１、ｋ１、ｌ１、ｍ１、及びｎ１は、それぞれ付加モル数を示す。ｊ１及びｎ１は、それぞれ、１以上、好ましくは１５以上、更に好ましくは１５〜１７５、特に好ましくは３５〜１７５を示す。ｊ１及びｎ１は、略同数であることが好ましい。また、ｊ１＋ｎ１（エチレンオキサイドの付加モル数）は、好ましくは３０以上、更に好ましくは３０〜３５０、特に好ましくは７０〜３５０である。ｋ１及びｍ１は、それぞれ、０以上、好ましくは０〜３０、更に好ましくは０〜２０、特に好ましくは５〜２０を示す。ｋ１及びｍ１は、略同数であることが好ましい。また、ｋ１＋ｍ１（ブチレンオキサイドの付加モル数）は、０以上、好ましくは０〜６０、更に好ましくは０〜４０、特に好ましくは１０〜４０である。ｌ１は、１以上、好ましくは１〜６０、更に好ましくは１５〜６０、特に好ましくは１５〜３０を示す。
【００２８】
【化９】
2020066691.tif 000010
【００２９】
一般式（１ａ−２）中、ＥＯはエチレンオキサイド、ＰＯはプロピレンオキサイドを示す。また、一般式（１ａ−２）中、ｊ２、ｌ２、及びｎ２は、それぞれ付加モル数を示す。ｊ２及びｎ２は、それぞれ、１以上、好ましくは１５〜１５０、更に好ましくは３５〜１５０を示す。ｊ２及びｎ２は、略同数であることが好ましい。また、ｊ２＋ｎ２（エチレンオキサイドの付加モル数）は、２以上、好ましくは３０〜３００、更に好ましくは７０〜３００である。ｌ２は、１以上、好ましくは１〜６０、更に好ましくは１５〜６０、特に好ましくは３０〜６０を示す。
【００３０】
【化１０】
2020066691.tif 000011
【００３１】
一般式（１ａ−３）中、ＥＯはエチレンオキサイド、ＢＯはブチレンオキサイドを示す。また、一般式（１ａ−３）中、ｊ３、ｌ３、及びｎ３は、それぞれ付加モル数を示す。ｊ３及びｎ３は、それぞれ、１以上、好ましくは１５〜１５０、更に好ましくは３５〜１５０を示す。ｊ３及びｎ３は、略同数であることが好ましい。また、ｊ３＋ｎ３（エチレンオキサイドの付加モル数）は、２以上、好ましくは３０〜３００、更に好ましくは７０〜３００である。ｌ３は、１以上、好ましくは１〜５０、更に好ましくは２０〜５０を示す。
【００３２】
一般式（１ａ−１）〜（１ａ−３）で表されるポリオキシアルキレンブロックポリマーの中でも、経時的に生じるゲル強度の低下をより一層効果的に抑制するという観点から、好ましくは（１ａ−１）及び（１ａ−２）で表されるポリオキシアルキレンブロックポリマー、更に好ましくは（１ａ−１）で表されるポリオキシアルキレンブロックポリマーが挙げられる。
【００３３】
本発明のゲル状洗浄剤組成物において、一般式（１）に示すブロックポリマーとして、１種の構造のものを単独で使用してもよく、また２種以上の構造のものを組み合わせて使用してもよい。
【００３４】
本発明のゲル状洗浄剤組成物において、一般式（１）に示すブロックポリマーの含有量については、水との共存下でゲル状を形成できる範囲で適宜設定すればよいが、例えば、１５〜７０重量％、好ましくは１５〜４０重量％、更に好ましくは２０〜４０重量％が挙げられる。
【００３５】
［(B)抗菌剤］
本発明のゲル状洗浄剤組成物は、除菌剤として、下記一般式（２）に示す化合物を含む。除菌剤として下記一般式（２）に示す化合物を選択し、これを前記一般式（１）に示すブロックポリマーと組み合わせて配合することによって、硬質表面に対する付着性を付与しつつ、経時的に生じるゲル強度の低下を抑制し、ゲル状態を安定に維持させることが可能になる。
【００３６】
【化１１】
2020066691.tif 000012
【００３７】
一般式（２）において、Ｒ1及びＲ2は、同一又は異なって、炭素数６〜１８のアルキル基を示す。Ｒ1及びＲ2を構成するアルキル基は、直鎖状又は分岐状のいずれであってもよいが、好ましくは直鎖状が挙げられる。また、Ｒ1及びＲ2を構成するアルキル基の炭素数としては、優れた除菌作用を発揮させつつ、より一層高い安全性を備えさせるという観点から、好ましくは８〜１６、更に好ましくは８〜１４、特に好ましくは８〜１２が挙げられる。
【００３８】
一般式（２）において、Ｒ3及びＲ4は、同一又は異なって、炭素数１〜４のアルキル基を示す。Ｒ3及びＲ4を構成するアルキル基の炭素数が３又は４である場合、当該アルキル基は、直鎖状又は分岐状のいずれであってもよいが、好ましくは直鎖状が挙げられる。また、Ｒ3及びＲ4を構成するアルキル基の炭素数としては、優れた除菌作用を発揮させつつ、経時的に生じるゲル強度の低下をより一層効果的に抑制するという観点から、好ましくは１〜３、更に好ましくは１又は２、特に好ましくは１が挙げられる。
【００３９】
一般式（２）において、Ｒ5は、炭素数１〜４のアルキル基、又は水素原子を示す。Ｒ5を構成するアルキル基の炭素数が３又は４である場合、当該アルキル基は、直鎖状又は分岐状のいずれであってもよいが、好ましくは直鎖状が挙げられる。また、Ｒ5としては、優れた除菌作用を発揮させつつ、経時的に生じるゲル強度の低下をより一層効果的に抑制するという観点から、好ましくは炭素数１〜４のアルキル基、更に好ましくは炭素数１〜３のアルキル基、より好ましくはメチル基又はエチル基、特に好ましくはメチル基が挙げられる。
【００４０】
一般式（２）に示す化合物として、具体的には、ジヘキシルジメチルアンモニウムメチルサルフェート、ジオクチルジメチルアンモニウムメチルサルフェート、ジデシルジメチルアンモニウムメチルサルフェート、ジドデシルジメチルアンモニウムメチルサルフェート、ジテトラデシルジメチルアンモニウムメチルサルフェート、ジヘキサデシルジメチルアンモニウムメチルサルフェート、ジオクタデシルジメチルアンモニウムメチルサルフェート等が挙げられる。これらの中でも、優れた除菌作用を発揮させつつ、経時的に生じるゲル強度の低下をより一層効果的に抑制するという観点から、好ましくはジデシルジメチルアンモニウムメチルサルフェート（一般式（１）において、Ｒ1及びＲ2がデシル基、Ｒ3及びＲ4がメチル基、Ｒ5がメチル基である化合物）が挙げられる。
【００４１】
本発明のゲル状洗浄剤組成物において、一般式（２）に示す化合物は、１種の構造のものを単独で使用してもよく、２種以上の構造のものを組み合わせて使用してもよい。
【００４２】
本発明のゲル状洗浄剤組成物における一般式（２）に示す化合物の含有量については、付与すべき除菌作用等に応じて適宜設定すればよいが、例えば、０．１〜４０重量％、好ましくは０．５〜２５重量％、更に好ましくは０．７〜１０重量％、特に好ましくは０．７〜３．５重量％が挙げられる。
【００４３】
また、本発明のゲル状洗浄剤組成物において、一般式（１）に示すブロックポリマーと一般式（２）に示す化合物の比率については、前述する各成分の含有量に応じた範囲であればよいが、経時的に生じるゲル強度の低下をより一層効果的に抑制するという観点から、一般式（１）に示すブロックポリマーの総量１００重量部当たり、一般式（２）に示す化合物の総量が０．５〜１５０重量部、好ましくは２．５〜１００重量部、更に好ましくは３．５〜２０重量部となる比率が挙げられる。
【００４４】
［(C)ポリオキシアルキレンアルキルエーテル］
本発明のゲル状洗浄剤組成物は、前記一般式（１）に示すブロックポリマー及び一般式（２）に示す化合物と共に、ポリオキシアルキレンアルキルエーテルを含んでいることが好ましい。ポリオキシアルキレンアルキルエーテルを更に含むことにより、経時的に生じるゲル強度の低下をより一層効果的に抑制することが可能になる。更に、ポリオキシアルキレンアルキルエーテルが含まれる場合には、洗浄作用も向上させることができる。
【００４５】
ポリオキシアルキレンアルキルエーテルにおけるオキシアルキレン基の種類については、特に制限されないが、例えば、炭素数２〜４のアルキレンオキサイド、即ち、エチレンオキサイド、プロピレンオキサイド、及びブチレンオキサイドが挙げられる。これらのオキシアルキレン基の中でも、適度なゲル強度を有するゲル状態を形成させつつ、経時的に生じるゲル強度の低下をより一層効果的に抑制するという観点から、好ましくはエチレンオキサイド及びプロピレンオキサイド、更に好ましくはエチレンオキサイドが挙げられる。また、前記ポリオキシアルキレンアルキルエーテルにおいて、1種の構造のオキシアルキレン基が単独で含まれていてもよく、２種以上の構造のオキシアルキレン基が組み合わされて含まれていてもよい。
【００４６】
ポリオキシアルキレンアルキルエーテルにおけるオキシアルキレン基の付加モル数については、特に制限されないが、例えば、１０〜１００、好ましくは２５〜７５、更に好ましくは４０〜６０が挙げられる。
【００４７】
また、ポリオキシアルキレンアルキルエーテルにおけるアルキル基の炭素数については、特に制限されないが、例えば、１０〜２２、好ましくは１４〜２０、更に好ましくは１６〜１８が挙げられる。また、前記ポリオキシアルキレンアルキルエーテルにおけるアルキル基は、直鎖状又は分岐状のいずれであってもよいが、好ましくは直鎖状が挙げられる。
【００４８】
ポリオキシアルキレンアルキルエーテルの中でも、適度なゲル強度を有するゲル状態をより一層好適に形成させる、より高い透明性を備えさせる、或は硬質表面に対する付着性をより一層向上させるという観点から、好ましくはポリオキシエチレン（付加モル数１０〜１００）アルキル（炭素数１０〜２２）エーテル、更に好ましくはポリオキシエチレン（付加モル数４０〜６０）アルキル（炭素数１６〜１８）エーテルが挙げられる。
【００４９】
ポリオキシアルキレンアルキルエーテルとして、１種の構造のものを単独で使用してもよく、また２種以上の構造のものを組み合わせて使用してもよい。
【００５０】
本発明のゲル状洗浄剤組成物において、ポリオキシアルキレンアルキルエーテルを含有させる場合、その含有量については、特に制限されないが、例えば、１〜４０重量％、好ましくは２〜１５重量％、更に好ましくは３〜７重量％が挙げられる。
【００５１】
また、本発明のゲル状洗浄剤組成物において、前記一般式（１）に示すブロックポリマーとポリオキシアルキレンアルキルエーテルの比率については、前述する各成分の含有量に応じた範囲であればよいが、経時的に生じるゲル強度の低下をより一層効果的に抑制するという観点から、ポリオキシアルキレンブロックポリマーの総量１００重量部当たり、ポリオキシアルキレンアルキルエーテルの総量が１〜１００重量部、好ましくは３〜７０重量部、更に好ましくは４〜６０重量部となる比率が挙げられる。
【００５２】
[(D)水溶性無機塩化物]
本発明のゲル状洗浄剤組成物には、更に水溶性無機塩化物が含まれていてもよい。水溶性無機塩化物を含むことによって、経時的に生じるゲル強度の低下をより一層効果的に抑制することができる。
【００５３】
水溶性無機塩化物の種類については、４℃程度の水に溶解できるものであることを限度として、特に制限されないが、具体的には、塩化ナトリウム、塩化カリウム等のアルカリ金属の塩化物；塩化マグネシウム、塩化カルシウム、塩化バリウム等の２価金属の塩化物；塩化アンモニウム等が挙げられる。これらの水溶性無機塩化物の中でも、前記粘弾特性を好適に具備させつつ、ツヤ感がある外観、容器の吐出口からの糸引き抑制効果、及び被付着面上での複雑な形状の形成効果をより一層向上させるという観点から、好ましくはアルカリ金属の塩化物、塩化アンモニウム、更に好ましくは塩化ナトリウム及び塩化アンモニウムが挙げられる。
【００５４】
これらの水溶性無機塩化物は、１種単独で使用してもよく、また２種以上を組み合わせて使用してもよい。
【００５５】
水溶性無機塩化物として、アルカリ金属の塩化物と塩化アンモニウムを併用することが好ましい。このようにアルカリ金属の塩化物と塩化アンモニウムを併用する場合、これらの比率としては、例えば、アルカリ金属の塩化物の総量１００重量部当たり、塩化アンモニウムが１０〜１０００重量部、好ましくは２０〜２００重量部、更に好ましくは３０〜１００重量部となる比率が挙げられる。
【００５６】
本発明のゲル状洗浄剤組成物において、水溶性無機塩化物を含有させる場合、その含有量については特に制限されないが、例えば、０．１〜１０重量％、好ましくは０．３〜５重量％、更に好ましくは０．５〜３重量％が挙げられる。
【００５７】
また、本発明のゲル状洗浄剤組成物において、前記一般式（１）に示すブロックポリマーと水溶性無機塩化物の比率については、前述する各成分の含有量に応じた範囲であればよいが、経時的に生じるゲル強度の低下をより一層効果的に抑制するという観点から、ポリオキシアルキレンブロックポリマーの総量１００重量部当たり、水溶性無機塩化物の総量が０．５〜５０重量部、好ましくは２〜４０重量部、更に好ましくは２．５〜３０重量部となる比率が挙げられる。
【００５８】
［(E)水］
本発明のゲル状洗浄剤組成物は、ゲル状にするために水を含んでいることが好ましい。
【００５９】
本発明のゲル状洗浄剤組成物において、水の含有量については、ゲル状態を形成できる範囲で適宜設定すればよいが、例えば、２０〜８０重量％、好ましくは３０〜７０重量％、更に好ましくは４０〜６０重量％が挙げられる。
【００６０】
［(F)水以外の溶剤］
本発明のゲル状洗浄剤組成物は、水以外の溶剤を必要に応じて含んでいてもよい。このように水以外の溶剤を含有させることによって、香料等の他の添加剤に対して分散性や溶解性を付与することが可能になる。
【００６１】
溶剤の種類については、特に制限されないが、例えば、グリセリンポリオキシエチレン付加物（例えば、付加モル数が５〜８０、好ましくは１０〜４０、更に好ましくは１５〜３０のエチレンオキサイド３つが、グリセリンにエステル結合しているグリセリンポリオキシエチレン付加物）；エタノール、プロパノール、ブタノール等の１価の低級アルコール；エチレングリコール、プロピレングリコール、ジプロピレングリコール、グリセリン等の多価アルコール等が挙げられる。
【００６２】
これらの溶剤の中でも、好ましくはグリセリンポリオキシエチレン付加物が挙げられる。
【００６３】
これらの溶剤は、１種単独で使用していてもよく、また２種以上を組み合わせて使用してもよい。
【００６４】
本発明のゲル状洗浄剤組成物において、溶剤（水以外）を含有させる場合、その含有量については、特に制限されないが、例えば、０超〜３０重量％、好ましくは３〜２０重量％、更に好ましくは５〜１０重量％が挙げられる。
【００６５】
［(G)香料］
本発明のゲル状洗浄剤組成物には、使用する空間に芳香を付与するために、必要に応じて、香料が含まれていてもよい。香料は、ゲル状洗浄剤組成物の用途に応じて、所望の芳香を呈する香料成分を適宜選択すればよい。本発明のゲル状洗浄剤組成物に含有される香料としては、例えば、天然香料の他、炭化水素系香料、エーテル系香料、エステル系香料、アルコール系香料、アルデヒド系香料、ケトン系香料等の合成香料が挙げられる。
【００６６】
天然香料としては、例えば、レモン油、オレンジ油、ベルガモット油、イランイラン油、パチュリ油、シトロネラ油、レモングラス油、ボアドローズ油、チョウジ油、ユーカリ油、セダー油、ラベンダー油、ビャクダン油、ベチバー油、ゼラニウム油、ラブダナム油、ミント油、ペパーミント油、ローズ油、ジャスミン油、リッツアキュベバ油等が挙げられる。また、炭化水素系香料としては、例えば、リモネン、α−ピネン、カンフェン、ｐ−サイメン、フェンチェン等が挙げられる。また、エーテル系香料としては、例えば、テトラヒドロ−２，４−ジメチル−４−フェニルフラン、１，８−シネオール、ローズオキサイド、セドロールメチルエーテル（セドランバー）、ｐ−クレジルメチルエーテル、イソアミルフエェニルエチルエーテル、４−フェニル−２，４，６−トリメチル−１，３−ジオキサン、アネトール等が挙げられる。また、エステル系香料としては、例えば、ゲラニルアセテート、エチルアセテート、エチルプロピオネート、メチルブチレート、エチルイソブチレート、エチルブチレート、ブチルアセテート、エチル２−メチルブチレート、イソアミルアセテート、エチル２−メチルペンタノエート（マンザネート）、ヘキシルアセテート、アリルヘキサノエート、トリシクロデセニルプロピオネート（ＶＥＲＴＯＰＲＯ；フロロシクレン）、アリルヘプタノエート、イソボルニルアセテート、リナリルアセテート、シトロネリルアセテート、２−ｔｅｒ−ブチルシクロヘキシルアセテート（ナルシドール）等が挙げられる。また、アルコール系香料としては、例えば、リナノール、３−オクタノール、２，６−ジメチル−ヘプタノール、１０−ウンデセノール、ゲラニオール、ネロール、シトロネロール、ロジノール、ミルセノール、テトラヒドロリナロール、ターピネオール、セドロール、２，４−ジメチル−３−シクロヘキサン−１−メタノール、４−イソプロピルシクロヘキサノール、ネロリドール、９−デセノール、シス−３−ヘキセノール、トランス−２−ヘキセノール、オイゲノール等が挙げられる。また、アルデヒド系香料としては、例えば、シトロネラール、オクタナール、パラアルデハイド、ベンズアルデヒド、アルデヒドＣ−６、アルデヒドＣ−７、 アルデヒドＣ−８、アルデヒドＣ−９、アルデヒドＣ−１０、トリプラール、ｐ−エチルジメチルヒドロシンナミックアルデヒド（フローラゾン）、２−トリデセナール、アルデヒドＣ１１等が挙げられる。また、ケトン系香料としては、例えば、１−（５，５−ジメチル−１−シクロヘキセン-１-イル）−４−ペンテン−１−オン、アセトイン、メチルアミルケトン、エチルアミルケトン、メチルヘキシルケトン、メチルノニルケトン、メチルヘプテノン、コアボン、カンファー、カルボン、メントン、ｄ−プレゴン、ピペリトン、フェンチョン、ゲラニルアセトン、マルトール、エチルマルトール、２，５−ジメチル−４−ヒドロキシフラノン、プリカトン、アセトフェノン、ｐ−メチルアセトフェノン、ベンジルアセトン、ベンジルケトン等が挙げられる。
【００６７】
これらの香料は、単品香料として１種単独で使用してもよく、また調合香料として２種以上を組み合わせて使用してもよい。
【００６８】
本発明のゲル状洗浄剤組成物において、香料を含有させる場合、その含有量については、特に制限されないが、例えば、０超〜１５重量％、好ましくは１〜１２重量％、更に好ましくは３〜１０重量％が挙げられる。
【００６９】
［その他の添加剤］
本発明のゲル状洗浄剤組成物には、前述する成分の他に、本発明の効果を損なわない範囲で、更に必要に応じて、非イオン性界面活性剤（一般式（１）に示すブロックポリマー及びポリオキシアルキレンアルキルエーテル以外）、陰イオン性界面活性剤、陽イオン性界面活性剤（一般式（２）に示す化合物以外）、酵素、殺菌剤、キレート剤、着色剤、顔料、消臭剤、乳化剤、可溶化剤、増量剤、溶解性調整剤、漂白剤、撥水剤、親水剤、充填剤、ｐＨ調整剤、増粘剤、緩衝剤、消泡剤等の添加剤を適量含むことができる。
【００７０】
［製造方法］
本発明のゲル状洗浄剤組成物は、常温において、含有させる成分を所定量混合することによって製造される。
【００７１】
［用途］
本発明のゲル状洗浄剤組成物は、硬質表面の洗浄及び除菌に使用される。具体的には、硬質表面に付着させ、硬質表面上に付着した本発明のゲル状洗浄剤組成物に水を接触させることにより、水に含有成分が流出し、硬質表面の洗浄及び除菌が行われる。
【００７２】
本発明のゲル状洗浄剤組成物において、洗浄対象となる硬質表面としては、水との接触が可能な硬質表面であればよく、例えば、トイレ便器ボウル、トイレの手洗い部、ガラス、窓、ドア、浴室の壁等が挙げられる。これらの中でも、好ましくはトイレ便器ボウルが挙げられる。
【００７３】
本発明のゲル状洗浄剤組成物をトイレ便器の洗浄に使用する場合、本発明のゲル状洗浄剤組成物は、フラッシュ水として供給される水と接触する部位に付着させればよい。このような付着部位として、好ましくは便器ボウルの表面が挙げられるが、貯水タンクの上に手洗い部が付いている水洗トイレの場合であれば、当該手洗い部の受け皿（貯水タンクの上蓋表面）であってもよい。本発明のゲル状洗浄剤組成物は、このような部位に付着させても、被付着面に対する優れた付着性を備えているため、フラッシュ水が流れても、又はフラッシュ水として貯水タンクに供給される水と接触しても、付着した状態を維持することができる。
【００７４】
本発明のゲル状洗浄剤組成物を硬質表面に付着させるには、被付着面に対して本発明のゲル状洗浄剤組成物を収容した容器から押出又は噴射させて吐出すればよい。
【００７５】
［容器］
本発明のゲル状洗浄剤組成物は、チューブ容器、ボトル容器、シリンジ型容器等の押出式容器；エアゾール容器等の噴射式容器等に収容して供給される。押出式容器の押出機構については、特に制限されず、手動式、圧縮式等のいずれであってもよい。
【００７６】
また、本発明のゲル状洗浄剤組成物を収容する容器は、ゲル状洗浄剤組成物を吐出させる吐出口の形状は、吐出されたゲル状洗浄剤組成物が被付着面上で所望の形状を形成できるように設計されていればよい。
【００７７】
２．ゲル状洗浄剤組成物のゲル強度の低下抑制方法
本発明は、更にゲル状洗浄剤組成物の経時的なゲル強度の低下を抑制する方法を提供する。当該方法は、具体的には、ゲル状洗浄剤組成物に前記一般式（１）に示すブロックポリマーと前記一般式（２）に示す化合物を含有させることによって行われる。
【００７８】
当該方法において使用される一般式（１）に示すブロックポリマー及び一般式（２）に示す化合物の種類や含有量、ゲル状洗浄剤組成物に配合可能な他の成分の種類や含有量、ゲル状洗浄剤組成物の洗浄対象等については、前記「１．ゲル状洗浄剤組成物」の欄に記載の通りである。
【実施例】
【００７９】
以下、実施例を挙げて、本発明を説明するが、本発明はこれらの実施例に限定されるものではない。
【００８０】
なお、以下の実施例、参考例及び比較例で使用した主な成分の構造、商品名等は、以下の通りである。
・ポリオキシアルキレンブロックポリマー：構造式：HO-(EO)j1-(BO)k1-(PO)l1-(BO)m1-(EO)n1-H［j1及びn1は略同数、k1及びm1は略同数、ＥＯ付加モル数（j1+n1）は約３３０、ＢＯの付加モル数（k1+m1）は約２０、ＰＯの付加モル数（l1）は約２０、分子量は約１６８００、疎水基部分（(BO)k1-(PO)l1-(BO)m1）の分子量は約２２００］
・ジデシルジメチルアンモニウムメチルサルフェート：商品名「リポカード210-80MSPG」（ライオン・スペシャリティケミカルズ株式会社製）を使用した。
・ジデシルジメチルアンモニウムクロライド：商品名「カチオンDDC-70PG」（三洋化成工業株式会社製）を使用した。
・ポリオキシエチレンアルキルエーテル：ポリオキシエチレン（付加モル数約５０）セチルエーテル及びポリオキシエチレン（付加モル数約５０）セオレイルエーテルの混合物
・グリセリンオキサイド：付加モル数２０のエチレノキサイド３つがグリセリンにエステル結合しているグリセリンポリオキシエチレン付加物、商品名「ＧＥ２０」、第一工業製薬株式会社製。
・両性界面活性剤：ヤシ油脂肪酸アミドプロピルジメチル酢酸ベタイン、商品名「アモーゲンＣＢ−Ｈ」、第一工業製薬株式会社製
・香料Ａ：ミント系香料
・香料Ｂ：ソープ系香料
・香料Ｃ：フローラル系香料
【００８１】
参考試験例１
表１に示す各成分の所定量をガラス製ビーカー（ＡＧＣテクノグラス株式会社製／容量５００ｍｌ)に入れて、常温において、所定量混合することにより、ゲル状洗浄剤組成物（容器中に５０ｇ収容）を調製した。なお、表１に示す含有量は、添加した添加剤（商品）に含まれる溶媒を除いた各成分の実質的な量を示す。得られたゲル状洗浄剤組成物を６０℃で５日間保存した。調製直後と保存後のゲル状洗浄剤組成物のゲル強度を下記条件で測定し、下記式に従って、ゲル強度維持率を算出した。
＜ゲル強度の測定条件＞
直径３ｃｍ、高さ６．５ｃｍの円柱状容器にゲル状洗浄剤組成物を充填し、レオメーター（「SUNRHEOMETERCR-500DX」（株式会社サン科学製）を用いて、下記条件にてゲル強度を測定した。
・測定モード：定深度測定（ＭＯＤＥ２０）
・測定治具：直径１０ｍｍφ、厚さ１ｍｍのプレート
・進入速度：６０ｍｍ／ｍｉｎ
・進入深さ：４０ｍｍ
・測定温度：２５℃
【００８２】
【数１】
2020066691.tif 000013
【００８３】
結果を表１に示す。この結果、ポリオキシアルキレンブロックポリマーを含むゲル状洗浄剤組成物において、ジデシルジメチルアンモニウムクロライドを含まない場合（参考例１）には、保存後にゲル強度の低下は認められなかったが、ジデシルジメチルアンモニウムクロライドを含む場合（比較例１）には、保存後にゲル強度の低下が認められた。即ち、本結果から、除菌剤として従来汎用されているジデシルジメチルアンモニウムクロライドを含むゲル状洗浄剤組成物では、経時的にゲル強度の低下が生じ、ゲル状態を安定に維持できないことが確認された。
【００８４】
【表１】
2020066691.tif 000014
【００８５】
試験例１
表２に示す各成分の所定量をガラス製ビーカー（ＡＧＣテクノグラス株式会社製／容量５００ｍｌ)に入れて、常温において、所定量混合することにより、ゲル状洗浄剤組成物（容器中に５０ｇ収容）を調製した。なお、表２に示す含有量は、添加した添加剤（商品）に含まれる溶媒を除いた各成分の実質的な量を示す。得られたゲル状洗浄剤組成物を６０℃で５日間保存した。前記参考試験例１の場合と同様の方法で、調製直後と保存後のゲル状洗浄剤組成物のゲル強度を測定し、ゲル強度維持率を求めた。
【００８６】
【表２】
2020066691.tif 000015
【００８７】
結果を表２に示す。この結果、ポリオキシアルキレンブロックポリマー及びジデシルジメチルアンモニウムメチルサルフェートを含むゲル状洗浄剤組成物では、保存後のゲル強度の低下を抑制できており、ゲル状態を安定に維持できることが確認された。
【００８８】
試験例２
表３に示す各成分の所定量をガラス製ビーカー（ＡＧＣテクノグラス株式会社製／容量５００ｍｌ)に入れて、常温において、所定量混合することにより、ゲル状洗浄剤組成物（容器中に５０ｇ収容）を調製した。なお、表３に示す含有量は、添加した添加剤（商品）に含まれる溶媒を除いた各成分の実質的な量を示す。得られたゲル状洗浄剤組成物を４０℃で４カ月間保存した。前記参考試験例１の場合と同様の方法で、調製直後と保存後のゲル状洗浄剤組成物のゲル強度を測定し、ゲル強度維持率を求めた。
【００８９】
結果を表３に示す。この結果からも、ポリオキシアルキレンブロックポリマー及びジデシルジメチルアンモニウムメチルサルフェートを含むゲル状洗浄剤組成物では、保存後のゲル強度の低下を抑制できることが確認された。
【００９０】
【表３】
2020066691.tif 000016
【００９１】
試験例３
表４に示す各成分の所定量をガラス製ビーカー（ＡＧＣテクノグラス株式会社製／容量５００ｍｌ)に入れて、常温において、所定量混合することにより、ゲル状洗浄剤組成物（容器中に５０ｇ収容）を調製した。なお、表４に示す含有量は、添加した添加剤（商品）に含まれる溶媒を除いた各成分の実質的な量を示す。得られたゲル状洗浄剤組成物を４０℃で４カ月間、及び５０℃で４０日間の条件で保存した。前記参考試験例１の場合と同様の方法で、調製直後と保存後のゲル状洗浄剤組成物のゲル強度を測定し、ゲル強度維持率を求めた。
【００９２】
結果を表４に示す。この結果からも、ポリオキシアルキレンブロックポリマー及びジデシルジメチルアンモニウムメチルサルフェートを含むゲル状洗浄剤組成物では、保存後のゲル強度の低下を抑制できることが確認された。
【００９３】
【表４】
2020066691.tif 000017